(57)【要約】【課題】送風機によって吸い込まれた空気又は吹き出された空気によって生じる騒音を低減することを目的とする。【解決手段】天井埋込み型空気調和機は、熱交換器７と、筒状であり上方かつ外側へ向かって径が大きくなるシュラウド２５を有し、熱交換器７に対して内側に設置された送風機６と、シュラウド２５の下方かつ送風機６の吸込側に設置されたベルマウス１２と、熱交換器７の下部が収容される凹状のドレン溝１８が形成されたドレンパン１０とを備え、ベルマウス１２の上方端部とシュラウド２５の吸込側端部との間の第１隙間Ａに対する、シュラウド２５の吹出側端部とドレン溝１８の熱交換器７に対する内側の内周壁部１８ａとの間の第２隙間Ｂの割合は、Ｂ／Ａ≦３又は１０≦Ｂ／Ａである。【選択図】図４
2019132475.tif 000002
【特許請求の範囲】
【請求項１】
熱交換器と、
筒状であり上方かつ外側へ向かって径が大きくなるシュラウドを有し、前記熱交換器に対して内側に設置された送風機と、
前記シュラウドの下方かつ前記送風機の吸込側に設置されたベルマウスと、
前記熱交換器の下部が収容される凹状のドレン溝が形成されたドレンパンと、
を備え、
前記ベルマウスの上方端部と前記シュラウドの吸込側端部との間の第１隙間Ａに対する、前記シュラウドの吹出側端部と前記ドレン溝の前記熱交換器に対する内側の側壁との間の第２隙間Ｂの割合は、Ｂ／Ａ≦３又は１０≦Ｂ／Ａである天井埋込み型空気調和機。
【請求項２】
前記ドレン溝は、前記熱交換器に対して内側の側壁の高さが外側の側壁よりも高い請求項１に記載の天井埋込み型空気調和機。
【発明の詳細な説明】
【技術分野】
【０００１】
本発明は、天井埋込み型空気調和機に関するものである。
【背景技術】
【０００２】
天井埋込み型空気調和機の室内機は、内部において、遠心式送風機が設けられ、下面には、吸込口から上方かつ内側に向かって開口部の径が小さくなるベルマウスが設けられる。また、内部には、冷房運転時に熱交換器の表面で結露し滴下した水を受けるドレンパンが設置される。
【０００３】
遠心式送風機は、回転軸と接続される羽根車を有する。羽根車は、上部に設置されて回転軸と接続されるハブ（主板）と、一端側がハブに接続され他端側がシュラウドに接続された複数枚の翼と、翼の他端同士を接続し、ベルマウス側から上方かつ外側へ向かって径が広がるシュラウドを備える。
【０００４】
下記の特許文献１では、シュラウドの吸込側の端部内において、シュラウドとベルマウスが所定の隙間（Ｌ１）を保つように、シュラウドが相対回転可能に設置されていることが記載されている。
【先行技術文献】
【特許文献】
【０００５】
【特許文献１】特開２００２−２３５９３０号公報
【発明の概要】
【発明が解決しようとする課題】
【０００６】
シュラウドの吸込側の端部の内側には、ベルマウスの上方端部が収容されて、シュラウドとベルマウスの間に隙間が設けられている。
ドレンパンには、ドレン水を受けるドレン溝を形成するため、熱交換器に対して内側と外側のそれぞれに対向するように二つの側壁（壁部）が設けられる。ドレン溝の熱交換器に対し内側に設置される内周壁部の上方には、シュラウドの吹出側の端部が位置し、ドレン溝とシュラウドの間に隙間が設けられている。
【０００７】
したがって、シュラウドの吸込側には、ベルマウスとの間に隙間が設けられ、シュラウドの吹出側には、ドレン溝の内周壁部との間に隙間が設けられる。
【０００８】
発明者によると、送風機によって吸い込まれた空気が、シュラウドに対し翼側を通過せず、翼側を迂回（バイパス）してベルマウスとシュラウドの間の隙間を通過すると、騒音の原因になることが分かった。また、送風機から吹き出された空気が、シュラウドとドレン溝の内周壁部との間の隙間から入り込み、シュラウドの下側において空気が淀んだり気流の剥離が生じたりする場合も、騒音の原因になることが分かった。
【０００９】
本発明は、このような事情に鑑みてなされたものであって、送風機によって吸い込まれた空気又は吹き出された空気によって生じる騒音を低減することが可能な天井埋込み型空気調和機を提供することを目的とする。
【課題を解決するための手段】
【００１０】
上記課題を解決するために、本発明の天井埋込み型空気調和機は以下の手段を採用する。
すなわち、本発明に係る天井埋込み型空気調和機は、熱交換器と、筒状であり上方かつ外側へ向かって径が大きくなるシュラウドを有し、前記熱交換器に対して内側に設置された送風機と、前記シュラウドの下方かつ前記送風機の吸込側に設置されたベルマウスと、前記熱交換器の下部が収容される凹状のドレン溝が形成されたドレンパンとを備え、前記ベルマウスの上方端部と前記シュラウドの吸込側端部との間の第１隙間Ａに対する、前記シュラウドの吹出側端部と前記ドレン溝の前記熱交換器に対する内側の側壁との間の第２隙間Ｂの割合は、Ｂ／Ａ≦３又は１０≦Ｂ／Ａである。
【００１１】
この構成によれば、ベルマウスの上方端部とシュラウドの吸込側端部との間の第１隙間Ａに対する、シュラウドの吹出側端部とドレン溝の熱交換器に対する内側の側壁の上方端部との間の第２隙間Ｂの割合が３＜Ｂ／Ａ＜１０である場合に比べて、騒音が低減される。
【００１２】
上記発明において、前記ドレン溝は、前記熱交換器に対して内側の側壁の高さが外側の側壁よりも高くてもよい。
【００１３】
この構成によれば、シュラウドの吹出し側の端部とドレン溝の内側の側壁の上方端部との距離を短くすることができる。
【発明の効果】
【００１４】
本発明によれば、送風機によって吸い込まれた空気又は吹き出された空気によって生じる騒音を低減することができる。
【図面の簡単な説明】
【００１５】
【図１】本発明の一実施形態に係る天井埋込み型空気調和機の室内ユニットを示す下面図である。
【図２】図１のII−II線で切断した縦断面図である。
【図３】本発明の一実施形態に係るドレンパンを示す平面図である。
【図４】本発明の一実施形態に係る天井埋込み型空気調和機の室内ユニットを示す部分拡大縦断面図である。
【図５】音圧レベル（ｄＢ）と、ベルマウスの上方端部とシュラウドの吸込側端部との間の第１隙間Ａに対する、シュラウドの吹出側端部とドレン溝の内周壁部との間の第２隙間Ｂの割合（Ｂ／Ａ）の関係を示すグラフである。
【発明を実施するための形態】
【００１６】
以下に、本発明の一実施形態に係る天井埋込み型空気調和機について、図面を参照して説明する。
天井埋込み型空気調和機（以下「空気調和機」という。）は、室内ユニット１と、室外ユニット（図示せず。）と、室内ユニット１及び室外ユニットとを結ぶ冷媒配管（図示せず。）などを備える。
室内ユニット１は、ケース本体２が天井に埋込まれて設置される。ケース本体２の内部には、図２に示すように、熱交換器７、ドレンパン１０、モータ５、送風機６、ベルマウス１２等が内蔵され、このケース本体２の下部には天井面に露出する天井パネル８が装着される。図１は、室内ユニット１を室内側から見た、すなわち室内ユニット１の下面から見た下面図であり、図２は、図１のII−II線で切断した縦断面図である。
【００１７】
送風機６は、遠心式送風機であり、回転軸２１と接続される羽根車２２を有する。羽根車２２は、上部に設置されて回転軸２１と接続されるハブ（主板）２３と、一端側がハブ２３に接続され他端側がシュラウド２５に接続された複数枚の翼２４と、翼２４の他端同士を接続し、ベルマウス１２側から上方かつ外側へ向かって径が広がるシュラウド２５を備える。
【００１８】
シュラウド２５は、筒状であり、下部の半径より上部の半径が大きく、下部から上部にかけて徐々に半径が大きくなる。シュラウド２５の吸込み側の端部、すなわち下端部は、ベルマウス１２の外周側に位置し、ベルマウス１２との間に隙間が設けられている。また、シュラウド２５の吹出し側の端部、すなわち上端部は、ドレン溝１８の内周壁部１８ａの上方に位置し、内周壁部１８ａとの間に隙間が設けられている。
【００１９】
ベルマウス１２は、筒状部材であり、シュラウド２５の下方かつ送風機６の吸込み側に設置されている。ベルマウス１２は、下部の半径より上部の半径が小さく、下部から上部にかけて徐々に半径が小さくなる。ベルマウス１２の上方端部は、シュラウド２５の吸込み側の端部の内部に収容されている。
【００２０】
ドレンパン１０は、熱交換器７の下部に設けられ、熱交換器７から滴下するドレン水を受ける。ベルマウス１２は、ドレンパン１０の下部に設けられる。室内ユニット１の下面中央部には吸込み口３が形成され、この吸込み口３に隣接して室内ユニット１の下面外周部に沿って吹出し口４が形成される。吸込み口３には、吸込みグリル１１と、吸込みグリル１１の上方にフィルタ１３とが設置される。
【００２１】
空気調和機が運転すると、図示しない室外ユニットからの冷媒が熱交換器７を循環し、モータ５によって送風機６が駆動される。送風機６の駆動によって、室内空気が吸込み口３から吸込みグリル１１、フィルタ１３を通り、ベルマウス１２に案内されて送風機６へ吸入される。そして、吸入された空気は、熱交換器７を通過することで、冷却又は加熱され、その後、吹出し口４から室内へ吹き出される。
【００２２】
ドレンパン１０は、例えば発泡スチロール製であり、ドレン水が貯留する表面には、防水性の塗料が塗装される。図３に示すように、ドレンパン１０の平面視形状は、ほぼ四角形である。ドレンパン１０には、吸込み口３及び吹出し口４に対応して開口部１６，１７が形成される。ドレンパン１０の底部１０ａは、送風機６を囲むようにして配置された熱交換器７の下部に沿って、熱交換器７が設置された全領域にわたって設けられる。図３は、ドレンパン１０を示す平面図である。
【００２３】
図２に示すように、ドレンパン１０には、凹状のドレン溝１８が形成されており、ドレン水がドレン溝１８の内側に溜まる。ドレン溝１８は、図２及び図３に示すように、熱交換器７に対して内側、すなわち、熱交換器７の入口側に形成される内周壁部１８ａと、熱交換器７に対して外側、すなわち、熱交換器７の出口側に形成される外周壁部１８ｂとを有する。図３に示すように、内周壁部１８ａは、吸込み口３に対応して形成された開口部１６に沿って設けられる。外周壁部１８ｂは、吹出し口４に対応して形成された開口部１７に沿って設けられる。
【００２４】
図２に示すように、ドレン溝１８には熱交換器７の下部が収容されており、熱交換器７の下端の高さ位置がドレン溝１８の上端よりも低い。これにより、ドレン溝１８の外周壁部１８ｂによって、熱交換器７の下部に付着したドレン水の外部への飛散が防止される。
【００２５】
図２及び図３に示すように、ドレンパン１０の底部１０ａには上方に突出した凸部１９が形成されている。凸部１９の上面に熱交換器７が載置される。凸部１９は、熱交換器７との間の隙間が極力形成されないように、熱交換器７の底面に沿って、熱交換器７の底面の形状に対応して形成される。
【００２６】
上述したドレンパン１０において、底部１０ａは、図２に示すように、熱交換器７に対して外側の底部１０ａのほうが内側の底部１０ａよりも低い位置に形成されることが望ましい。これにより、ドレンパン１０に溜まった水は、熱交換器７に対して内側から外側へ向かって導かれやすくなる。また、室内ユニット１において、送風機６は熱交換器７に対して内側に配置されており、送風機６による風の流れは、熱交換器７に対して内側から外側へ向かうため、ドレンパン１０に溜まったドレン水も風力によって熱交換器７に対して内側から外側へ向かって排出されやすくなる。
【００２７】
図２に示すように、熱交換器７の下部と凸部１９の上面との間には、インシュレーション２０が設置されている。これにより、熱交換器７と凸部１９の間がインシュレーション２０によって塞がれるため、熱交換器７を通過せずに隙間を通過して熱交換器７の内側から外側へ流れる空気を低減できる。また、インシュレーション２０は、熱交換器７の下部と凸部１９の上面の間に設置されることから、ドレン溝１８に収容されている。そのため、熱交換器７から滴下してインシュレーション２０に付着したドレン水についても、外部への飛散が防止される。
【００２８】
次に、図４及び図５を参照して、ベルマウス１２の上方端部とシュラウド２５の吸込側端部との間の第１隙間Ａと、シュラウド２５の吹出側端部とドレン溝１８の内周壁部１８ａとの間の第２隙間Ｂとの関係について説明する。
【００２９】
本実施形態において、ベルマウス１２の上方端部とシュラウド２５の吸込側端部との間の第１隙間Ａに対する、シュラウド２５の吹出側端部とドレン溝１８の内周壁部１８ａとの間の第２隙間Ｂの割合は、Ｂ／Ａ≦３又は１０≦Ｂ／Ａである。
【００３０】
図５は、空気流によって発生する音の音圧レベル（ｄＢ）と、Ｂ／Ａの関係を示すグラフである。発明者によって、Ｂ／Ａ≦３又は１０≦Ｂ／Ａである場合、図５に示すように、３＜Ｂ／Ａ＜１０である場合に比べて、音圧レベルが低減するという結果が得られている。また、特に１ｋＨｚ前後の周波数の音が低減されることが確認されている。
【００３１】
Ｂ／Ａ≦３とすることによって、ベルマウス１２の上方端部とシュラウド２５の吸込側端部との間の第１隙間Ａが相対的に狭くなる。その結果、送風機６によって吸い込まれた空気が、ベルマウス１２とシュラウド２５の間の隙間を通過しにくくなり、シュラウド２５に対し翼２４側をより多く通過するようになる。したがって、３＜Ｂ／Ａである場合に比べて、シュラウド２５に対し翼２４側を通過せず、翼２４側を迂回（バイパス）してベルマウス１２とシュラウド２５の間の隙間を通過する空気が減少するため、騒音が低減される。
【００３２】
Ｂ／Ａ≦３とする場合、図２に示す例のように、内周壁部１８ａの高さは、外周壁部１８ｂの高さよりも高い。これにより、シュラウド２５の吹出し側の端部と内周壁部１８ａの上方端部との距離を短くすることができる。なお、図５に示すように、Ｂ／Ａ＜１である場合、１≦Ｂ／Ａ≦３の場合に比べて音圧レベルが高くなることや、ベルマウス１２とシュラウド２５の振動等による接触を回避することを考慮して、１≦Ｂ／Ａであることが望ましい。
【００３３】
また、１０≦Ｂ／Ａとすることによって、シュラウド２５の吹出側端部とドレン溝１８の内周壁部１８ａとの間の第２隙間Ｂが相対的に広くなる。その結果、送風機６から吹き出された空気が、シュラウド２５とドレン溝１８の内周壁部１８ａとの間の隙間から入り込んだとしても、シュラウド２５の下側において空気が淀みにくく、また、気流の剥離が生じにくい。そのため、３＜Ｂ／Ａ＜１０である場合に比べて、空気がシュラウド２５の下側において流通し、気流の剥離も生じにくいことから、騒音が低減される。なお、図５に示すように、１０≦Ｂ／Ａ≦２０の範囲で音圧レベルが低減されることが得られている。
【００３４】
以上、本実施形態によれば、ベルマウス１２の上方端部とシュラウド２５の吸込側端部との間の第１隙間Ａに対する、シュラウド２５の吹出側端部とドレン溝１８の内周壁部１８ａとの間の第２隙間Ｂの割合は、Ｂ／Ａ≦３又は１０≦Ｂ／Ａであり、３＜Ｂ／Ａ＜１０である場合に比べて、騒音が低減される。
【符号の説明】
【００３５】
１      ：室内ユニット
２      ：ケース本体
３      ：吸込み口
４      ：吹出し口
５      ：モータ
６      ：送風機
７      ：熱交換器
８      ：天井パネル
１０    ：ドレンパン
１０ａ  ：底部
１１    ：吸込みグリル
１２    ：ベルマウス
１３    ：フィルタ
１６，１７    ：開口部
１８    ：ドレン溝
１８ａ  ：内周壁部
１８ｂ  ：外周壁部
１９    ：凸部
２０    ：インシュレーション
２１    ：回転軸
２２    ：羽根車
２３    ：ハブ
２４    ：翼
２５    ：シュラウド
Ａ      ：第１隙間
Ｂ      ：第２隙間
【図１】
2019132475.tif 000003
【図２】
2019132475.tif 000004
【図３】
2019132475.tif 000005
【図４】
2019132475.tif 000006
【図５】
2019132475.tif 000007